(57)【要約】【課題】  高感度時のＳ／Ｎ劣化および解像度劣化を抑えた、適切な自動ＩＳＯ感度設定を行う撮像装置を提供する。【解決手段】  被写体輝度に応じて自動的にＩＳＯ感度設定を行う固体撮像素子において、低輝度時の感度上昇の手段として隣接画素加算を行い、かつ解像度維持のためにフィルタ演算処理による画素補完を行う。【選択図】        図７
2006101408.tif 000002
【特許請求の範囲】
【請求項１】
撮影した画像を記録媒体に記録する撮像装置において、
露光した光信号を電気信号へと変換する複数画素で構成される撮像素子と、
前記撮像素子の出力信号に画像処理を施す画像処理手段と、
前記撮像素子の複数の画素の信号を加算する画素加算手段と、
前記画素加算手段により生成された画像信号の隣接する画素の出力を用いて該画素間の画素を補間する画素補間手段と、
前記画素加算手段による画素加算及び、前記画素補間手段による画素補間を行う
画像信号処理手段を備えたことを特徴とする撮像装置。
【請求項２】
前記画素加算手段は、前記撮像素子の内部に含まれることを特徴とする請求項１記載の撮像装置。
【請求項３】
前記画素加算手段は、前記画像処理手段の一部であることを特徴とする請求項１記載の撮像装置。
【請求項４】
前記画素補間手段は、前記画像処理手段の一部であることを特徴とする請求項１記載の撮像装置。
【請求項５】
前記撮像装置の感度を設定する感度設定手段と、
前記感度設定手段による設定感度が予め定められた所定の感度設定値よりも高い場合には、
前記画素加算手段による画素加算及び、前記画素補完手段による画素補完を行う
画像信号処理手段を備えたことを特徴とする請求項１記載の撮像装置。
【請求項６】
被写体の輝度を測定する測光手段と、
前記測光手段により測定された被写体輝度に応じて設定感度を切り換える自動感度設定手段とを備えたことを特徴とする請求項５記載の撮像装置。
【請求項７】
任意の感度を設定する手動感度設定手段と、
前記自動感度設定手段による設定感度と前記手動感度設定手段による設定感度のいずれか一方を選択する感度設定方法選択手段を備えたことを特徴とする請求項６記載の撮像装置。
【請求項８】
前記画像信号処理手段を用いて感度設定を行う第一の撮像モードと、
前記画像信号処理手段を用いずに感度設定を行う第二の撮像モードと、
前記第一の撮像モード及び前記第二の撮像モードのいずれか一方を選択する撮像モード選択手段を有することを特徴とする請求項１記載の撮像装置。
【請求項９】
前記撮像素子は出力信号を増幅させるアンプゲインを有し、
前記第二の撮像モードにおける感度設定は、前記アンプゲインの設定をもって行うことを特徴とする請求項８記載の撮像装置。
【請求項１０】
前記第二の撮像モードにおける感度設定は、前記画像処理手段における設定をもって行うことを特徴とする請求項８記載の撮像装置。
【請求項１１】
前記撮像モード選択手段による前記第一の撮像モードの選択は、前期感度設定方法選択手段により自動感度設定手段が選択された場合にのみ行われることを特徴とする請求項７及び請求項８記載の撮像装置。
【発明の詳細な説明】
【技術分野】
【０００１】
本発明は、静止画像や動画像を撮像、記録、再生する画像処理装置及び画像処理装置制御方法に係る撮像装置に関する。
【背景技術】
【０００２】
従来、固体メモリ素子を有するメモリカードを記録媒体として、ＣＣＤ、ＣＭＯＳ等の固体撮像素子で撮像した静止画像や動画像を記録及び再生する電子カメラ等の画像処理装置は既に市販されている。
【０００３】
これらの電子カメラの中には、撮影シーンの輝度に応じて自動的にＩＳＯ感度を変える撮影モードを有するものもあり、この撮影モードにより撮影者の手を煩わせることなく適切な撮影条件での撮影を可能としている。
【０００４】
ところで、これらの電子カメラのＩＳＯ感度は撮像素子の出力アナログ信号を撮像素子内外のゲインアンプのゲインを変えることで設定するか、もしくはＡ／Ｄコンバータを介して生成されたデジタルデータを画像処理装置内で乗算器を用いて演算処理することで設定することが多い。
【０００５】
また、ゲインアップの手段としては、隣接画素との信号加算等を行うことで、信号量を増やすという方法もある。
【特許文献１】特開平６−２０５２９０号公報
【発明の開示】
【発明が解決しようとする課題】
【０００６】
しかしながら、このような従来の電子カメラ等の固体撮像装置においては、以下のような問題があった。
【０００７】
即ち、撮像素子内外のアンプを用いたゲインアップや、乗算器により感度設定を行う場合、高ＩＳＯ側へと感度を上げると、ノイズ成分もその比率に応じて増幅されるため、設定感度を上げるに従い、Ｓ／Ｎが悪くなっていくという問題があった。
【０００８】
一方、隣接画素との画素加算により感度を上げた場合、信号成分が２倍になってもノイズ成分は√２倍にしか増えないため、アンプゲイン等による感度アップに比べ、Ｓ／Ｎの劣化が抑えられるという長所がある一方で、画素加算を行うことによって記録画素数が少なくなってしまうため、画像の解像度が悪くなるという問題があった。
【０００９】
本発明は以上のような問題を解決するためになされたもので、高感度時のＳ／Ｎ劣化および解像度劣化を抑えた、適切な自動ＩＳＯ感度設定を行う撮像装置を提供することを目的とする。
【課題を解決するための手段】
【００１０】
上記目的を達成するために、本発明の撮像装置は、
撮影した画像を記録媒体に記録する撮像装置において、
露光した光信号を電気信号へと変換する複数画素で構成される撮像素子と、
前記撮像素子の出力信号に画像処理を施す画像処理手段と、
前記撮像素子の複数の画素の信号を加算する画素加算手段と、
前記画素加算手段により生成された画像信号の隣接する画素の出力を用いて該画素間の画素を補間する画素補間手段と、
前記画素加算手段による画素加算及び、前記画素補間手段による画素補間を行う
画像信号処理手段を備えたことを特徴とする。
【００１１】
更に本発明の撮像装置は、
前記撮像装置の感度を設定する感度設定手段と、
前記感度設定手段による設定感度が予め定められた所定の感度設定値よりも高い場合には、
前記画素加算手段による画素加算及び、前記画素補完手段による画素補完を行う
画像信号処理手段を備え、更には被写体の輝度を測定する測光手段と、
前記測光手段により測定された被写体輝度に応じて設定感度を切り換える自動感度設定手段と、任意の感度を設定する手動感度設定手段と、
前記自動感度設定手段による設定感度と前記手動感度設定手段による設定感度のいずれか一方を選択する感度設定方法選択手段を備えたことを特徴とする。
【００１２】
更に本発明の撮像装置は、
前記画像信号処理手段を用いて感度設定を行う第一の撮像モードと、
前記画像信号処理手段を用いずに感度設定を行う第二の撮像モードと、
前記第一の撮像モード及び前記第二の撮像モードのいずれか一方を選択する撮像モード選択手段を有し、前記撮像モード選択手段による前記第一の撮像モードの選択は、前期感度設定方法選択手段により自動感度設定手段が選択された場合にのみ行われることを特徴とする。
【発明の効果】
【００１３】
本発明によれば、
撮影した画像を記録媒体に記録する撮像装置であって、
露光した光信号を電気信号へと変換する複数画素で構成される撮像素子と、
前記撮像素子の出力信号に画像処理を施す画像処理手段と、
前記撮像素子の隣接する画素の信号を加算する画素加算手段及び前記画素加算手段により生成された画像信号の隣接する画素の出力を用いて該画素間の画素を補間する画素補間手段からなる画像信号処理手段を備え、
更には、高感度設定時には、前記画素加算手段による画素加算及び、前記画素補完手段による画素補完を行い、また、被写体の輝度を測定する測光手段により測定された被写体輝度に応じて設定感度を切り換える自動感度設定手段と、任意の感度を設定する手動感度設定手段とのいずれか一方を選択する感度設定方法選択手段を備え、
更には、前記画像信号処理手段を用いて感度設定を行うＳ／Ｎ優先モードと、
前記画像信号処理手段を用いずに感度設定を行う解像度モードとのいずれか一方を選択する撮像モード選択手段を有し、Ｓ／Ｎ優先モードの選択は、前期感度設定方法選択手段により自動感度設定手段が選択された場合にのみ行われることを特徴とする撮像装置を提供することが可能となり、
上記手段により、高感度時のＳ／Ｎ劣化および解像度劣化を抑えた、適切な自動ＩＳＯ感度設定を行う撮像装置を提供することが可能となる。
【００１４】
すなわち上記手段により、Ｓ／Ｎ優先モードの場合には高感度設定時においてもノイズ感の少ない画とし、像解像度優先モードの場合には、解像感を損ねない画像とすることが可能となる。
【発明を実施するための最良の形態】
【００１５】
以下、図面を参照して本発明の実施例を説明する。
【実施例】
【００１６】
図１は、本発明の実施例の構成を示す図である。
【００１７】
図１において、１００は画像処理装置である。
【００１８】
１２は撮像素子１４への露光量を制御するためのシャッター、１４は光学像を電気信号に変換する撮像素子である。
【００１９】
レンズ３１０に入射した光線は、一眼レフ方式によって、絞り３１２、レンズマウント３０６及び１０６、ミラー１３０、シャッター１２を介して導き、光学像として撮像素子１４上に結像することが出来る。
【００２０】
１６は撮像素子１４のアナログ信号出力をデジタル信号に変換するＡ／Ｄ変換器である。
【００２１】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２２】
２０は画像処理回路であり、Ａ／Ｄ変換器１６からのデータ或いはメモリ制御回路２２からのデータに対して所定の画素補間処理や色変換処理を行う。
【００２３】
また、画像処理回路２０においては、必要に応じて、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００２４】
更に、画像処理回路２０においては、撮像した画像データを用いて所定の演算処理を行い、得られた演算結果に基づいてＴＴＬ方式のＡＷＢ（オートホワイトバランス）処理も行っている。
【００２５】
なお、本実施例においては、測距手段４２及び測光手段４６を専用に備える構成としたため、測距手段４２及び測光手段４６を用いてＡＦ（オートフォーカス）処理、ＡＥ（自動露出）処理、ＥＦ（フラッシュ調光）処理の各処理を行い、上記画像処理回路２０を用いたＡＦ（オートフォーカス）処理、ＡＥ（自動露出）処理、ＥＦ（フラッシュ調光）処理の各処理を行わない構成としても良い。
【００２６】
或いは、測距手段４２及び測光手段４６を用いてＡＦ（オートフォーカス）処理、ＡＥ（自動露出）処理、ＥＦ（フラッシュ調光）処理の各処理を行い、更に、上記画像処理回路２０を用いたＡＦ（オートフォーカス）処理、ＡＥ（自動露出）処理、ＥＦ（フラッシュ調光）処理の各処理を行う構成としても良い。
【００２７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２８】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２９】
２４は画像表示メモリ、２６はＤ／Ａ変換器、２８はＴＦＴＬＣＤ等から成る画像表示部であり、画像表示メモリ２４に書き込まれた表示用の画像データはＤ／Ａ変換器２６を介して画像表示部２８により表示される。
【００３０】
画像表示部２８を用いて撮像した画像データを逐次表示すれば、電子ファインダ機能を実現することが可能である。
【００３１】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００３２】
３０は撮影した静止画像や動画像を格納するためのメモリであり、所定枚数の静止画像や所定時間の動画像を格納するのに十分な記憶量を備えている。
【００３３】
これにより、複数枚の静止画像を連続して撮影する連写撮影やパノラマ撮影の場合にも、高速かつ大量の画像書き込みをメモリ３０に対して行うことが可能となる。
【００３４】
また、メモリ３０はシステム制御回路５０の作業領域としても使用することが可能である。
【００３５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３６】
４０は測光手段４６からの測光情報に基づいて、絞り３１２を制御する絞り制御手段３４０と連携しながら、シャッター１２を制御するシャッター制御手段である。
【００３７】
４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することが出来る。
【００３８】
４４は温度計であり、撮影環境の温度を検出することができる。
【００３９】
温度計がセンサー内にある場合はセンサーの暗電流をより正確に予想することが可能である。
【００４０】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することが出来る。
【００４１】
また、測光手段４６は、フラッシュ４８と連携することによりＥＦ（フラッシュ調光）処理機能も有するものである。
【００４２】
４８はフラッシュであり、ＡＦ補助光の投光機能、フラッシュ調光機能も有する。
【００４３】
なお、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。
【００４４】
更に、測距手段４２による測定結果と、撮像素子１４によって撮像した画像データを画像処理回路２０によって演算した演算結果とを共に用いてＡＦ（オートフォーカス）制御を行っても構わない。
【００４５】
そして、測光手段４６による測定結果と、撮像素子１４によって撮像した画像データを画像処理回路２０によって演算した演算結果とを共に用いて露出制御を行っても構わない。
【００４６】
５０は画像処理装置１００全体を制御するシステム制御回路、５２はシステム制御回路５０の動作用の定数、変数、プログラム等を記憶するメモリである。
【００４７】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００４８】
また、表示部５４は、その一部の機能が光学ファインダ１０４内に設置されている。
【００４９】
表示部５４の表示内容のうち、ＬＣＤ等に表示するものとしては、例えば、シングルショット／連写撮影表示、セルフタイマー表示、圧縮率表示、ＩＳＯ感度表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付け・時刻表示、外部コンピュータとの接続状態を示す表示、等がある。
【００５０】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００５１】
更に、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００５２】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００５３】
５６は電気的に消去・記録可能な不揮発性メモリであり、例えばＥＥＰＲＯＭ等が用いられる。この不揮発性メモリ５６には、各種パラメータやＩＳＯ感度などの設定値、設定モード、及び水平ダークシェーディング補正を行う際に用いる１次元補正データが格納される。この１次元補正データは、工程において調整時に作成され書き込まれる。
【００５４】
６０、６２、６４、６６、６８、６９及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５５】
ここで、これらの操作手段の具体的な説明を行う。
【００５６】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することが出来る。
【００５７】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。
【００５８】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５９】
６６は再生スイッチで、撮影モード状態において、撮影した画像をメモリ３０或いは記録媒体２００或いは２１０から読み出して画像表示部２８によって表示する再生動作の開始を指示する。
【００６０】
６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定することが出来る。
【００６１】
６９はＩＳＯ感度設定スイッチで、撮像素子１４或いは画像処理回路２０におけるゲインの設定の変更もしくは本発明の提案する画素加算による信号量増加により、ＩＳＯ感度を設定することができる。
【００６２】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することが出来るＡＦモード設定スイッチ等がある。
【００６３】
また、本発明において説明している自動ＩＳＯ感度設定モードの設定及び、自動ＩＳＯ感度設定モード選択時の、解像度優先モード／Ｓ／Ｎ優先モードの選択もこの操作部において行う。
【００６４】
また、上記プラスボタン及びマイナスボタンの各機能は、回転ダイアルスイッチを備えることによって、より軽快に数値や機能を選択することが可能となる。
【００６５】
７２は電源スイッチで、画像処理装置１００の電源オン、電源オフの各モードを切り替え設定することが出来る。また、画像処理装置１００に接続されたレンズユニット３００、外部ストロボ、記録媒体２００、２１０等の各種付属装置の電源オン、電源オフの設定も合わせて切り替え設定することが出来る。
【００６６】
８０は電源制御手段で、電池検出回路、ＤＣ−ＤＣコンバータ、通電するブロックを切り換えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００６７】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６８】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６９】
なお、本実施例では記録媒体を取り付けるインターフェース及びコネクタを２系統持つものとして説明している。勿論、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００７０】
インタフェース及びコネクタとしては、ＰＣＭＣＩＡカードやＣＦ（コンパクトフラッシュ（登録商標））カード等の規格に準拠したものを用いて構成して構わない。
【００７１】
更に、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００７２】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することが出来る。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００７３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００７４】
１１２は通信手段１１０により画像処理装置１００を他の機器と接続するコネクタ或いは無線通信の場合はアンテナである。
【００７５】
１２０は、レンズマウント１０６内において、画像処理装置１００をレンズユニット３００と接続するためのインタフェース、１２２は画像処理装置１００をレンズユニット３００と電気的に接続するコネクタ、１２４はレンズマウント１０６及び或いはコネクタ１２２にレンズユニット３００が装着されているか否かを検知するレンズ着脱検知手段である。
【００７６】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００７７】
１３０、１３２はミラーで、レンズ３１０に入射した光線を、一眼レフ方式によって光学ファインダ１０４に導くことが出来る。なお、ミラー１３２は、クイックリターンミラーの構成としても、ハーフミラーの構成としても、どちらでも構わない。
【００７８】
２００はメモリカードやハードディスク等の記録媒体である。
記録媒体２００は、半導体メモリや磁気ディスク等から構成される記録部２０２、画像処理装置１００とのインタフェース２０４、画像処理装置１００と接続を行うコネクタ２０６を備えている。
【００７９】
２１０はメモリカードやハードディスク等の記録媒体である。
【００８０】
記録媒体２１０は、半導体メモリや磁気ディスク等から構成される記録部２１２、画像処理装置１００とのインタフェース２１４、画像処理装置１００と接続を行うコネクタ２１６を備えている。
【００８１】
３００は交換レンズタイプのレンズユニットである。
【００８２】
３０６は、レンズユニット３００を画像処理装置１００と機械的に結合するレンズマウントである。レンズマウント３０６内には、レンズユニット３００を画像処理装置１００と電気的に接続する各種機能が含まれている。
【００８３】
３１０は撮影レンズ、３１２は絞りである。
【００８４】
３２０は、レンズマウント３０６内において、レンズユニット３００を画像処理装置１００と接続するためのインタフェース、３２２はレンズユニット３００を画像処理装置１００と電気的に接続するコネクタである。
【００８５】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００８６】
３４０は測光手段４６からの測光情報に基づいて、シャッター１２を制御するシャッター制御手段４０と連携しながら、絞り３１２を制御する絞り制御手段である。
【００８７】
３４２は撮影レンズ３１０のフォーカシングを制御する測距制御手段、３４４は撮影レンズ３１０のズーミングを制御するズーム制御手段である。
【００８８】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００８９】
図２乃至図６を参照して、本発明の実施例の動作を説明する。
【００９０】
図２及び図３は本発明の実施例の画像処理装置１００の主ルーチンのフローチャートを示す。
【００９１】
図２及び図３を用いて、画像処理装置１００の動作を説明する。
【００９２】
電池交換等の電源投入により、システム制御回路５０はフラグや制御変数等を初期化し、画像処理装置１００の各部において必要な所定の初期設定を行う（Ｓ１０１）。
【００９３】
システム制御回路５０は、電源スイッチ７２の設定位置を判断し、電源スイッチ７２が電源ＯＦＦに設定されていたならば（Ｓ１０２）、各表示部の表示を終了状態に変更し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０３）、Ｓ１０２に戻る。
【００９４】
電源スイッチ６６が電源ＯＮに設定されていたならば（Ｓ１０２）、システム制御回路５０は、電源制御手段８０により電池等により構成される電源８６の残容量や動作情況が画像処理装置１００の動作に問題があるか否かを判断し（Ｓ１０４）、問題があるならば表示部５４を用いて画像や音声により所定の警告表示を行った後に（Ｓ１０５）、Ｓ１０２に戻る。
【００９５】
電源８６に問題が無いならば（Ｓ１０４）、システム制御回路５０はモードダイアル６０の設定位置を判断し、モードダイアル６０が撮影モードに設定されていたならば（Ｓ１０６）、Ｓ１０８に進む。
【００９６】
モードダイアル６０がその他のモードに設定されていたならば（Ｓ１０６）、システム制御回路５０は選択されたモードに応じた処理を実行し（Ｓ１０７）、処理を終えたならばＳ１０２に戻る。
【００９７】
システム制御回路５０は、記録媒体２００或いは２１０が装着されているかどうかの判断、記録媒体２００或いは２１０に記録された画像データの管理情報の取得、そして、記録媒体２００或いは２１０の動作状態が画像処理装置１００の動作、特に記録媒体に対する画像データの記録再生動作に問題があるか否かの判断を行い（Ｓ１０８）、問題があるならば表示部５４を用いて画像や音声により所定の警告表示を行った後に（Ｓ１０５）、Ｓ１０２に戻る。
【００９８】
記録媒体２００或いは２１０が装着されているかどうかの判断、記録媒体２００或いは２１０に記録された画像データの管理情報の取得、そして、記録媒体２００或いは２１０の動作状態が画像処理装置１００の動作、特に記録媒体に対する画像データの記録再生動作に問題があるか否かの判断を行った結果（Ｓ１０８）、問題が無いならば、Ｓ１０９に進む。
【００９９】
システム制御回路５０は表示部５４を用いて画像や音声により画像処理装置１００の各種設定状態の表示を行う（Ｓ１０９）。なお、画像表示部２８の画像表示がＯＮであったならば、画像表示部２８も用いて画像や音声により画像処理装置１００の各種設定状態の表示を行う。
【０１００】
シャッタースイッチＳＷ１が押されていないならば（Ｓ１２１）、Ｓ１０２に戻る。
【０１０１】
シャッタースイッチＳＷ１が押されたならば（Ｓ１２１）、システム制御回路５０は測距処理を行って撮影レンズ３１０の焦点を被写体に合わせ、測光処理を行って絞り値及びシャッター時間を決定する、測距・測光処理を行い（Ｓ１２２）、Ｓ１２３に進む。測光処理に於いて、必要であればフラッシュの設定も行う。
【０１０２】
この測距・測光処理Ｓ１２２の詳細は図４を用いて後述する。
【０１０３】
続いてＩＳＯ感度を設定し（Ｓ１２３）、Ｓ１２４に進む。このＩＳＯ感度設定処理Ｓ１２３の詳細は図６を用いて後述する。
【０１０４】
シャッタースイッチＳＷ２が押されていないならば（Ｓ１２４）、シャッタースイッチＳＷ１が押されているか確認し（Ｓ１２５）、シャッタースイッチＳＷ１が押された状態であるならば、再度Ｓ１２４に戻る。シャッタースイッチＳＷ１が押されていないならば（Ｓ１２５）、Ｓ１０２に戻る。
【０１０５】
シャッタースイッチＳＷ２が押されたならば（Ｓ１２４）、システム制御回路５０は、撮影した画像データを記憶可能な画像記憶バッファ領域がメモリ３０にあるかどうかを判断し（Ｓ１２６）、メモリ３０の画像記憶バッファ領域内に新たな画像データを記憶可能な領域が無いならば、表示部５４を用いて画像や音声により所定の警告表示を行った後に（Ｓ１２７）、Ｓ１０２に戻る。
【０１０６】
例えば、メモリ３０の画像記憶バッファ領域内に記憶可能な最大枚数の連写撮影を行った直後で、メモリ３０から読み出して記憶媒体２００或いは２１０に書き込むべき最初の画像がまだ記録媒体２００或いは２１０に未記録な状態であり、まだ１枚の空き領域もメモリ３０の画像記憶バッファ領域上に確保出来ない状態である場合等が、この状態の一例である。
【０１０７】
なお、撮影した画像データを圧縮処理してからメモリ３０の画像記憶バッファ領域に記憶する場合は、圧縮した後の画像データ量が圧縮モードの設定に応じて異なることを考慮して、記憶可能な領域がメモリ３０の画像記憶バッファ領域上にあるかどうかをＳ１２６において判断することになる。
【０１０８】
メモリ３０に撮影した画像データを記憶可能な画像記憶バッファ領域があるならば（Ｓ１２６）、システム制御回路５０は、撮像して所定時間蓄積した撮像信号を撮像素子１４から読み出して、Ａ／Ｄ変換器１６、画像処理回路２０、メモリ制御回路２２を介して、或いはＡ／Ｄ変換器から直接メモリ制御回路２２を介して、メモリ３０の所定領域に撮影した画像データを書き込む撮影処理を実行する（Ｓ１２８）。
【０１０９】
この撮影処理Ｓ１２８の詳細は図５を用いて後述する。
【０１１０】
撮影処理Ｓ１２８を終えたならば、システム制御回路５０は、メモリ３０の所定領域へ書き込まれた画像データの一部をメモリ制御回路２２を介して読み出して、現像処理を行うために必要なＷＢ（ホワイトバランス）積分演算処理、ＯＢ（オプティカルブラック）積分演算処理を行い、演算結果をシステム制御回路５０の内部メモリ或いはメモリ５２に記憶する。
【０１１１】
そして、システム制御回路５０は、メモリ制御回路２２そして必要に応じて画像処理回路２０を用いて、メモリ３０の所定領域に書き込まれた撮影画像データを読み出して、システム制御回路５０の内部メモリ或いはメモリ５２に記憶した演算結果を用いて、ＡＷＢ（オートホワイトバランス）処理、ガンマ変換処理、色変換処理を含む各種現像処理を行う（Ｓ１２９）。
【０１１２】
更に、現像処理においては、図７を用いて後述するＳ／Ｎ優先モード時の画素補完処理も併せて行う更に、後述のＳ４１４において画素加算設定フラグがＯＮに設定されている場合には、画素加算処理も現像処理時に併せて行う。
【０１１３】
そして、システム制御回路５０は、メモリ３０の所定領域に書き込まれた画像データを読み出して、設定したモードに応じた画像圧縮処理を圧縮・伸長回路３２により行い（Ｓ１３０）、メモリ３０の画像記憶バッファ領域の空き画像部分に、撮影して一連の処理を終えた画像データの書き込みを行う。
【０１１４】
一連の撮影の実行に伴い、システム制御回路５０は、メモリ３０の画像記憶バッファ領域に記憶した画像データを読み出して、インタフェース９０或いは９４、コネクタ９２或いは９６を介して、メモリカードやコンパクトフラッシュ（登録商標）カード等の記録媒体２００或いは２１０へ書き込みを行う記録処理を開始する（Ｓ１３１）。
【０１１５】
この記録開始処理は、メモリ３０の画像記憶バッファ領域の空き画像部分に、撮影して一連の処理を終えた画像データの書き込みが新たに行われる度に、その画像データに対して実行される。
【０１１６】
なお、記録媒体２００或いは２１０へ画像データの書き込みを行っている間、書き込み動作中であることを明示するために、表示部５４において例えばＬＥＤを点滅させる等の記録媒体書き込み動作表示を行う。
【０１１７】
更に、システム制御回路５０は、シャッタースイッチＳＷ１が押されているか否かを判別する（ステップＳ１３２）。シャッタースイッチＳＷ１が離された状態である場合、ステップＳ１０２の処理に戻る。一方、シャッタースイッチＳＷ１が押された状態である場合、システム制御回路５０の内部メモリあるいはメモリ５２に記憶された単写／連写フラグの状態を判別し（ステップＳ１３３）、単写が設定されていた場合、ステップＳ１３２の処理に戻り、シャッタースイッチＳＷ１が離されるまで現在の処理を繰り返す。一方、連写が設定されていた場合、連続して撮影を行うために、ステップＳ１２４の処理に戻り、次の撮影に備える。これにより、撮影に関する一連の処理が終了する。
【０１１８】
図４は、図３のＳ１２２における測距・測光処理の詳細なフローチャートである。
【０１１９】
なお、測距・測光処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０１２０】
システム制御回路５０は、撮像素子１４測距手段４２及び測距制御手段３４２を用いて、ＡＦ（オートフォーカス）処理を開始する（Ｓ２０１）。
【０１２１】
システム制御回路５０は、レンズ３１０に入射した光線を、絞り３１２、レンズマウント３０６及び１０６、ミラー１３０、不図示の測距用サブミラーを介して、測距手段４２に入射させることにより、光学像として結像された画像の合焦状態を判断し、測距（ＡＦ）が合焦と判断されるまで（Ｓ２０３）、測距制御手段３４２を用いてレンズ３１０を駆動しながら、測距手段４２を用いて合焦状態を検出するＡＦ制御を実行する（Ｓ２０２）。
【０１２２】
測距（ＡＦ）が合焦と判断したならば（Ｓ２０３）、システム制御回路５０は、撮影画面内の複数の測距点の中から合焦した測距点を決定し、決定した測距点データと共に測距データ及び或いは設定パラメータをシステム制御回路５０の内部メモリ或いはメモリ５２に記憶しＳ２０５に進む。
【０１２３】
続いて、システム制御回路５０は、測光手段４６を用いて、ＡＥ（自動露出）処理を開始する（Ｓ２０５）。
【０１２４】
システム制御回路５０は、レンズ３１０に入射した光線を、絞り３１２、レンズマウント３０６及び１０６、ミラー１３０及び１３２そして不図示の測光用レンズを介して、測光手段４６に入射させることにより、光学像として結像された画像の露出状態を測定し、露出（ＡＥ）が適正と判断されるまで（Ｓ２０６）、露光制御手段４０を用いて測光処理を行う（Ｓ２０６）。
【０１２５】
露出（ＡＥ）が適正と判断したならば（Ｓ２０７）、システム制御回路５０は、測光データ及び或いは設定パラメータをシステム制御回路５０の内部メモリ或いはメモリ５２に記憶し、Ｓ２０８に進む。
【０１２６】
なお、測光処理Ｓ２０６で検出した露出（ＡＥ）結果と、モードダイアル６０によって設定された撮影モードに応じて、システム制御回路５０は、絞り値（Ａｖ値）、シャッター速度（Ｔｖ値）決定しされる。
【０１２７】
そして、ここで決定したシャッター速度（Ｔｖ値）に応じて、システム制御回路５０は、撮像素子１４の電荷蓄積時間を決定し、等しい電荷蓄積時間で撮影処理を行う。
【０１２８】
測光処理Ｓ２０６で得られた測定データにより、システム制御回路５０はフラッシュが必要か否かを判断し（Ｓ２０８）、フラッシュが必要ならばフラッシュフラグをセットし、フラッシュ４８の充電が完了するまで（Ｓ２１０）、フラッシュ４８を充電する（Ｓ２０９）。
【０１２９】
フラッシュ４８の充電が完了したならば（Ｓ２１０）、測距・測光処理ルーチンＳ１２２を終了する。
【０１３０】
図５は、図３のＳ１２８における撮影処理の詳細なフローチャートである。
【０１３１】
なお、撮影処理においては、システム制御回路５０と絞り制御手段３４０或いは測距制御手段３４２との間の各種信号のやり取りは、インタフェース１２０、コネクタ１２２、コネクタ３２２、インタフェース３２０、レンズ制御手段３５０を介して行われる。
【０１３２】
システム制御回路５０は、ミラー１３０を不図示のミラー駆動手段によってミラーアップ位置に移動すると共に（Ｓ３０１）、システム制御回路５０の内部メモリ或いはメモリ５２に記憶される測光データに従い、絞り制御手段３４０によって絞り３１２を所定の絞り値まで駆動する（Ｓ３０２）。
【０１３３】
システム制御回路５０は、撮像素子１４の電荷クリア動作を行った後に（Ｓ３０３）、撮像素子１４の電荷蓄積を開始した後（Ｓ３０４）、シャッター制御手段４０によって、シャッター１２を開き（Ｓ３０５）、撮像素子１４の露光を開始する（Ｓ３０６）。
【０１３４】
ここで、フラッシュフラグによりフラッシュ４８が必要か否かを判断し（Ｓ３０７）、必要な場合はフラッシュを発光させる（Ｓ３０８）。
【０１３５】
システム制御回路５０は、測光データに従って撮像素子１４の露光終了を待ち（Ｓ３０９）、シャッター制御手段４０によって、シャッター１２を閉じ（Ｓ３１０）、撮像素子１４の露光を終了する。
【０１３６】
システム制御回路５０は、絞り制御手段３４０によって絞り３１２を開放の絞り値まで駆動すると共に（Ｓ３１１）、ミラー１３０を不図示のミラー駆動手段によってミラーダウン位置に移動する（Ｓ３１２）。
【０１３７】
設定した電荷蓄積時間が経過したならば（Ｓ３１３）、システム制御回路５０は、撮像素子１４の電荷蓄積を終了した後（Ｓ３１４）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０の所定領域への撮影画像データを書き込む（Ｓ３１５）。この際、画素加算処理を行う設定となっている場合には、電荷信号は隣接する画素の信号を加算した後に読み出す。
【０１３８】
一連の処理を終えたならば、撮影処理ルーチンＳ１２８を終了する。
【０１３９】
図６は、図３のＳ１２３におけるＩＳＯ感度設定の詳細なフローチャートである。
【０１４０】
本実施例においては、ＩＳＯ感度はＩＳＯ１００、ＩＳＯ２００、ＩＳＯ４００、ＩＳＯ８００、ＩＳＯ１６００の設定が可能とする。
【０１４１】
操作部７０によって自動ＩＳＯ感度設定モードが選択されていない場合には（Ｓ４０１）、ＩＳＯ感度としてＩＳＯ感度スイッチ６９によって選択されたＩＳＯ感度値を採用し（Ｓ４０２）、Ｓ４０４に進む。自動ＩＳＯ感度モードが選択されている場合には（Ｓ４０１）、測光処理（Ｓ２０６）時の測光結果に応じて適切なＩＳＯ感度値を設定し、Ｓ４０４に進む。この際の自動ＩＳＯ感度設定の方法としては、例えば、手ぶれの影響を受けにくいシャッター速度（Ｔｖ値）の上限値を定め、その設定以上の露光量が必要の場合にＩＳＯ感度を上げていく等のシーケンスが考えられる。
【０１４２】
ＩＳＯ感度がＩＳＯ１００に設定されている場合には（Ｓ４０４）、撮像素子１４の出力ゲインアンプの設定を“１倍”に設定し（Ｓ４０５）、ＩＳＯ感度設定ルーチンＳ１２３を終了する。ＩＳＯ１００に設定されていない場合には（Ｓ４０４）、Ｓ４０６に進む。
【０１４３】
ＩＳＯ感度がＩＳＯ２００に設定されている場合には（Ｓ４０６）、撮像素子１４の出力ゲインアンプの設定を“２倍”に設定し（Ｓ４０７）、ＩＳＯ感度設定ルーチンＳ１２３を終了する。ＩＳＯ２００に設定されていない場合には（Ｓ４０６）、Ｓ４０８に進む。
【０１４４】
ＩＳＯ感度がＩＳＯ４００に設定されている場合には（Ｓ４０８）、撮像素子１４の出力ゲインアンプの設定を“４倍”に設定し（Ｓ４０９）、ＩＳＯ感度設定ルーチンＳ１２３を終了する。ＩＳＯ４００に設定されていない場合には（Ｓ４０８）、Ｓ４１０に進む。
【０１４５】
ＩＳＯ感度がＩＳＯ８００に設定されている場合には（Ｓ４１０）、撮像素子１４の出力ゲインアンプの設定を“８倍”に設定し（Ｓ４１１）、ＩＳＯ感度設定ルーチンＳ１２３を終了する。ＩＳＯ１００に設定されていない場合には（Ｓ４１０）、Ｓ４１２に進む。
【０１４６】
Ｓ４１２のステップはＩＳＯ感度がＩＳＯ１６００に設定されている場合となる。ここで、操作部７０によって自動ＩＳＯ感度設定モードが選択されていない場合には（Ｓ４１２）、撮像素子１４の出力ゲインアンプの設定を“１６倍”に設定し（Ｓ４１５）、ＩＳＯ感度設定ルーチンＳ１２３を終了する。自動ＩＳＯ感度設定モードが選択されている場合には、同じく操作部７０によってＳ／Ｎ優先モードが選択されているかを判定し（Ｓ４１３）、Ｓ／Ｎ優先モードが選択されている場合には、画素加算設定フラグをＯＮにして（Ｓ４１４）、撮像素子１４の出力ゲインアンプの設定を“８倍”に設定し（Ｓ４１１）、ＩＳＯ感度設定ルーチンＳ１２３を終了する。Ｓ／Ｎ優先モードでなく解像度優先モードが選択されている場合には、撮像素子１４の出力ゲインアンプの設定を“１６倍”に設定し（Ｓ４１５）、ＩＳＯ感度設定ルーチンＳ１２３を終了する。
【０１４７】
図７は、本実施例のＳ／Ｎ優先モード時の画像生成手順を説明する図である。
【０１４８】
Ｓ／Ｎ優先モード選択時において、自動ＩＳＯ感度設定によって高ＩＳＯ感度が設定された場合、段階１において、同色の隣接画素の信号を加算し、加算した２画素の間の画素のデータとする。段階１の処理については、撮像信号読み出し時（Ｓ３１５）に撮像素子１４の有する同色隣接画素加算機能によってアナログ信号の加算を実行するか、もしくは現像時（Ｓ１２８）に画像処理回路２０においてデジタル信号の加算を実行する。
【０１４９】
次に段階２において、左右の同色の隣接画素の平均値をもって、その間にある段階１の画素加算によって発生した空き画素のデータとする。段階２の処理については、現像時（Ｓ１２８）に画像処理回路２０において行う。
【０１５０】
以上、図１を用いて本発明の実施例の説明を行った。
【０１５１】
なお、実施例の説明に於いては、単写／連写の切り替えを単写／連写スイッチ６８を用いて行うとして説明したが、モードダイアル６０での動作モード選択に応じて単写／連写の切り替えを行う構成としても問題ない。
【０１５２】
また、実施例の説明においては、自動ＩＳＯ設定モード、解像度優先モード、Ｓ／Ｎ優先モードの設定を操作部７０によるものとして説明したが、本発明はこれに限定されず、例えばモードダイヤル６０によって選択可能なモード設定の１つとしても良いし、ＩＳＯ感度設定スイッチによる設定可能な設定の中に含んでも良いし、それぞれ単独にスイッチを用意する構成としても構わない。
【０１５３】
また、実施例の説明においては、ＩＳＯ感度の設定はＩＳＯ１００，２００，４００，８００，１６００の５種類で、かつ解像度優先モードとＳ／Ｎ優先モードで撮像信号の処理が異なったものとなるのはＩＳＯ１６００設定の時のみとしたが、本発明はこれに限定されず、様々なＩＳＯ感度と優先モードの組み合わせが設定可能である。
【０１５４】
また、実施例の説明においては、撮像素子１４は隣接画素の信号電荷を加算する機能を出力部に有する構成のものであるとして撮像素子１４からの撮像信号読出時（Ｓ３１５）に画素加算を行うという説明をしたが、本発明は本実施例のようなＡ／Ｄ変換器１６によるＡ／Ｄ変換前のアナログ信号の画素加算に限定されず、例えば、画像処理回路２０によって行われる現像処理（Ｓ１２９）の一部として、デジタル変換後の信号を加算する構成としても良い。
【０１５５】
また、実施例の説明においては、画素加算処理として、隣接する２つの画素の加算を例として説明したが、３つ以上の画素の加算を行う構成としても良く、また隣接の方向も本実施例の説明のように水平方向に限らず、垂直方向もしくは水平垂直両方の複数画素の加算を行っても構わない。
【０１５６】
また、実施例の説明においては、画素補完処理として、補完される画素の水平方向の隣接する２画素の平均値をもって被補完画素の信号値としたが、これも３画素以上の平均値としても良く、この場合被補完画素からの距離に応じて重み付けを変えた設定式を使用しても構わない。
【０１５７】
なお、実施例の説明に於いては、ミラー１３０をミラーアップ位置、ミラーダウン位置に移動して撮影動作を行うとして説明したが、ミラー１３０をハーフミラーの構成として、移動せずに撮影動作を行う様にしても問題ない。
【０１５８】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０１５９】
また、記録媒体２００及び２１０がメモリカードとハードディスク等が一体となった複合媒体であっても勿論問題無い。更に、その複合媒体から一部が着脱可能な構成としても勿論問題無い。
【０１６０】
そして、実施例の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【０１６１】
また、画像処理装置１００に記録媒体２００或いは２１０が、単数或いは複数の任意の個数接続可能な構成であっても構わない。
【０１６２】
そして、画像処理装置１００に記録媒体２００及び２１０が装着する構成として説明したが、記録媒体は単数或いは複数のいずれの組み合わせの構成であっても、勿論問題無い。
【図面の簡単な説明】
【０１６３】
【図１】本発明の一実施例の構成ブロック図である。
【図２】本実施例の主ルーチンのフローチャートの一部である。
【図３】本実施例の主ルーチンのフローチャートの一部である。
【図４】本実施例の測距・測光処理ルーチンのフローチャートである。
【図５】本実施例の撮影処理ルーチンのフローチャートである。
【図６】本実施例のＩＳＯ感度設定ルーチンのフローチャートである。
【図７】本実施例の画素加算処理及び画素補完処理の流れを示す説明図である。
【符号の説明】
【０１６４】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４４  温度計
４６  測光手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  再生スイッチ
６８  単写／連写スイッチ
６９  ＩＳＯ感度スイッチ
７０  操作部
７２  電源スイッチ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１０６  レンズマウント
１１０  通信手段
１１２  コネクタ（またはアンテナ）
１２０  インタフェース
１２２  コネクタ
１３０  ミラー
１３２  ミラー
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  絞り
３２０  インタフェース
３２２  コネクタ
３４０  露光制御手段
３４２  測距制御手段
３４４  ズーム制御手段
３５０  レンズシステム制御回路
【図１】
2006101408.tif 000003
【図２】
2006101408.tif 000004
【図３】
2006101408.tif 000005
【図４】
2006101408.tif 000006
【図５】
2006101408.tif 000007
【図６】
2006101408.tif 000008
【図７】
2006101408.tif 000009